(57)【要約】【課題】  Ｈ１，Ｈ２バイトオール“１”のインビット有効・無効を制御して、ＰＬＣＰフレームが正しくアッド・ドロップされるＡＤＭ装置を提供する。【解決手段】  ＡＤＭ装置において、受信ポートより受信された受信フレームが第１フレームであるとして同期を検出する第１同期部と、第１フレームのオーバヘッドの第１所定領域に障害情報が設定されているか否かを検出して、当該障害情報の設定の有無を示す信号を出力する障害情報検出部と、受信フレームが第２フレームであるとして同期を検出する第２同期部と、第２フレームに収容される第３フレームと同期を検出する第３同期部と、第１及び第２同期部により同期が取れているとき、のフレームについて前記第２同期部により同期が取れている場合には、前記障害情報検出部からの出力信号を無効とするよう制御するインヒビット部とを具備して構成する。【選択図】図１
2005286461.tif 000002
【特許請求の範囲】
【請求項１】
伝送装置であって、
第１形式フレームにおける第１フレーミングパターンに基づいて受信フレームの同期を検出する第１同期部と、
第２形式フレームにおける第２フレーミングパターンに基づいて受信フレームの同期を検出する第２同期部と、
前記第１及び第２同期部による同期検出に基づいて前記受信フレームを第３形式フレームにマッピングするマッピング部と、
以前、前記第１同期部において同期を検出し、現在前記第１及び前記第２同期部において同期を検出した場合、前記第３形式フレームに設定されている障害情報を無効とするインヒビット部とを有することを特徴とする伝送装置。
【請求項２】
伝送装置であって、
受信ポートより受信された受信フレームが第１フレーミングパターンの第１形式フレームであるとして同期を検出する第１同期部と、
前記第１同期部による同期検出に基づいて、第１形式フレームのオーバヘッドの第１所定領域に障害情報が設定されているか否かを検出して、当該障害情報の設定の有無を示す信号を出力する障害情報検出部と、
前記受信ポートより受信された前記受信フレームが第２形式フレームであるとして同期を検出する第２同期部と、
前記第２形式フレームに収容され、前記第１フレーミングパターンと同一の第２フレーミンングパターンである第３形式フレームとして同期を検出する第３同期部と、
前記第１〜前記第３同期部による同期に基づいて、前記第１形式フレーム、前記第２形式フレーム及び前記第３形式フレームのいずれかに収容されているデータを第４形式同期フレームにマッピングするマッピング部と、
前記第１〜前記第３同期部により同期が取れているとき、以前のフレームについて前記第２及び第３同期部により同期が取れていて前記第３形式フレームを受信していると判断される場合には、前記障害情報検出部からの出力信号を無効とするインヒビット部と、
前記第４形式同期フレームを第５形式同期フレームに多重化する多重化部と、
前記第５形式同期フレームのオーバヘッドを挿入するオーバヘッド挿入部とを具備し、
前記オーバヘッド挿入部は前記インヒビット部により前記障害情報検出部の出力信号が無効とされた場合には、前記オーバヘッドの第２所定位置に障害情報を設定しないことを特徴とする伝送装置。
【請求項３】
前記インヒビット部は、前記第１同期部で同期が取れており且つ前記第２又は前記第３同期部により同期が取れていないとき、前記障害情報検出部からの出力信号を有効とすることを特徴とする請求項２記載の伝送装置。
【請求項４】
受信インタフェース装置であって、
受信ポートより受信された受信フレームが第１フレーミングパターンの第１形式フレームであるとして同期を検出する第１同期部と、
前記第１同期部により検出されたフレーム同期に基づいて、前記第１形式フレームのオーバヘッドの第１所定領域に障害情報が設定されているか否かを検出して、当該障害情報の設定の有無を示す信号を出力する障害情報検出部と、
前記受信ポートより受信された前記受信フレームが第２形式フレームであるとして同期を検出する第２同期部と、
前記第２形式フレームに収容され前記第１フレーミングパターンと同一の第２形式フレーミングパターンである第３形式フレームと同期を検出する第３同期部と、
前記第１〜前記第３同期部による同期に基づいて、前記第１形式フレーム、前記第２形式フレーム及び前記第３形式フレームのいずれかに収容されているデータを第４形式同期フレームにマッピングする第１マッピング部と、
前記第１〜前記第３同期部により同期が取れているとき、以前のフレームについて前記第２及び前記第３同期部により同期が取れていて前記第３形式フレームを受信していると判断される場合には、前記障害情報検出部からの出力信号を無効とするインヒビット部と、
を具備したことを特徴とする受信インタフェース装置。
【請求項５】
伝送装置であって、
同期ネットワークより受信した第１形式同期フレームを複数の第２形式同期フレームにデマックスする第１デマックス部と、
前記第２形式同期フレームの第１フレーミングパターンと同期を取る第１同期部と、
前記オーバヘッドに設定された障害情報を検出するとともにペイロードにデマッピングする第１デマッピング部と、
前記ペイロードを第３形式同期フレームにマッピングする第１マッピング部と、
前記ペイロードが第４形式フレームであるとして同期を取る第２同期部と、
前記ペイロードが前記第４形式フレームに収容され前記第１フレーミングパターンと同一の第２フレーミングパターンの第５形式フレームを含むものであるとして前記第５形式フレームと同期を取る第３同期部と、
前記ペイロードを前記第５形式フレームを収容する前記第４形式フレームにマッピングする第２マッピング部と、
前記第２及び前記第３同期部により同期が取れている場合に、前記障害情報を無効にするインヒビット部と、
を具備したことを特徴とする伝送装置。
【発明の詳細な説明】
【技術分野】
【０００１】
本発明は、ＳＯＮＥＴ（Ｓｙｎｃｈｒｏｎｏｕｓ  Ｏｐｔｉｃａｌ  ＮｅＥＴｗｏｒｋ，ＡＮＳＩ  ＴＩ−１０５）や日本におけるＴＴＣ（電気通信技術委員会）標準（ＪＴ−Ｇ７０７，ＪＴ−Ｇ７０８，ＪＴ−Ｇ７０９参照）に従う新同期通信ネットワークにおいて使用されるアッド・ドロップ・マルチプレクサ（ＡＤＭ）（以下、伝送装置）及び受信インタフェース装置に関するものである。
【背景技術】
【０００２】
現在、北米伝送ネットワークでは、北米非同期信号のネットワーク（以下、ＤＳｎ（ｎ＝１，３）ネットワーク）と北米新同期（ＳＯＮＥＴ）信号のネットワーク（以下、ＳＯＮＥＴネットワーク）が存在する。ＤＳｎネットワーク、例えば、ＤＳ３ネットワークは４４．７３６Ｍｂｐｓである。
【０００３】
ＤＳ３信号内のＳＴＭフレームには、固定ビットレート（６４ｋｂｐｓ）の音声データやＰＬＣＰフォーマット、ダイレクトフォーマットでＡＴＭ（Asynchronous Transfer Mode）セルが収容される。一方、ＳＯＮＥＴネットワークには、ＳＯＮＥＴ電気インタフェースであるＥＣ１（５１．８４Ｍｂｐｓ）の低速ネットワークがある。
【０００４】
ＳＯＮＥＴネットワークを収容する伝送装置では、物理回線が切れているために信号が来ない時（Ｌｏｓ  ＯＦ  Ｓｉｇｎａｌ）、フレーム同期が取れない時（Ｌｏｓ  Ｏｆ  Ｆｒａｍｅ）、下流のネットワークから警報が通知された時（ＡＩＳ）には、ライン障害時にＡＩＳを送信する時間を早くするために、ＳＯＮＥＴフレームのラインオーバヘッドのＨ１，Ｈ２バイトをオール“１”にして、ＳＯＮＥＴフレームのペイロードに固定ビットパターンを挿入してデータをスルーして、受信側のＳＯＮＥＴネットワークを収容する伝送装置にライン障害の発生を迅速に通知している。
【０００５】
伝送装置では、（ａ）ＤＳｎネットワーク及びＳＯＮＥＴネットワークが混在したネットワーク形態をサポートすること、（ｂ）１本の伝送路にユーザが選択したＥＣ１ネットワーク又はＤＳ３ネットワークのいずれのネットワークをもサポートすることが望まれている。（ｂ）をサポートするために、伝送路に接続される受信回路には、ＤＳ３受信回路とＥＣ１受信回路とを備え、受信ポートにＤＳ３ネットワークとＥＣ１ネットワークのいずれのネットワークが接続された場合であっても動作可能としている。
【０００６】
図１３は従来のＡＤＭ装置のアッドに係わるブロック図である。このブロックは、ＥＣ１フレーム又はＤＳ３フレームをＳＴＳ−１フレームに多重化して、更に３本のＳＴＳ−１フレームをＳＴＳ−３フレームに多重化する場合を示している。
【０００７】
図１３（ａ）に示すように、ＤＳ３受信回路２は、ＤＳ３フレーム同期を取る。ＤＳ３フレームがＰＬＣＰフレームである場合には、ＰＬＣＰフレーム同期を取って、ＰＬＣＰフレームにマッピングされたＡＴＭセルの処理をする。ＤＳ３フレームにＤＳ３ダイレクトＳＴＭ信号（音声）がマッピングされていると、ダイレクトＳＴＭ処理を行う。ＤＳ３フレームにＤＳ３ダイレクトＡＴＭセルがマッピングされていると、ダイレクトＡＴＭ処理を行う。
【０００８】
ＥＣ１受信回路４は、ＥＣ１フレーム同期を取り、ＥＣ１フレーム同期が取られると、ＥＣ１フレーム処理を行う。Ｈ１，Ｈ２バイトオール“１”スルー部６は、ＥＣ１フレームのオーバヘッドのＨ１，Ｈ２バイトオール“１”を検出して、オール“１”を検出すると、ＳＴＳ−３ＯＨ挿入部１４にＨ１，Ｈ２バイトオール“１”にしてパスＡＩＳを指示する。
【０００９】
ＳＴＳ−１ＭＵＸ８は、ＥＣ１受信回路４及びＤＳ３受信回路２より出力されるＥＣ１フレーム、ＤＳ３ダイレクトＳＴＭフレーム、ＤＳ３ダイレクトＡＴＭフレーム及びＤＳ３ＰＬＣＰフレームをそれぞれＳＴＳ−１フレームにマッピングする。ＳＥＬ１０は、受信フレームがＥＣ１フレーム、ＤＳ３ダイレクトＳＴＭフレーム、ＤＳ３ダイレクトＡＴＭフレーム及びＤＳ３ＰＬＣＰフレームのいずれかに応じて、該当フレームがマッピングされたＳＴＳ−１フレームを選択する。
【００１０】
ＳＴＳ−３ＯＨ挿入部１４は、ＳＴＳ−３オーバヘッドを生成するとともに、Ｈ１，Ｈ２バイトオール“１”スルー部６により、Ｈ１，Ｈ２バイトオール“１”が検出された場合には、ＳＴＳ−３該当Ｈ１，Ｈ２にオール“１”を挿入する。ＳＴＳ−３ＭＵＸ部１２は、３本のＳＴＳ−１フレームのペイロードをＳＴＳ−３フレームにマッピングする。そして、ＳＴＳ−３フレームが伝送路に送出される。
【００１１】
例えば、図１３（ｂ）に示すように、ＤＳ３ＰＬＣＰフレームを受信した場合には、ＤＳ３ＰＬＣＰフレームがＳＴＳ−３にマッピングされたＳＴＳ−３フレームが伝送路に送出される。
【００１２】
ＤＳ３ＰＬＣＰフレームが受信されていた場合でも、後述するように、ＤＳ３ＰＬＣＰフレームのフレームミングパターンとＥＣ１フレームのフレーミングパターンが“Ｆ６２８”で一致するために、ＥＣ１受信回路４でも、ＤＳ３ＰＬＣＰフレームをＥＣ１フレームと認識することがある。
【００１３】
このとき、ＤＳ３ＰＬＣＰフレームのＨ１，Ｈ２バイト該当位置の内容がオール“１”であると、Ｈ１，Ｈ２バイトオール“１”スルー部６は、Ｈ１，Ｈ２バイトオール“１”を検出する。セレクタ１０は、ＤＳ３ＰＬＣＰフレームがマッピングされたＳＴＳ−１フレームを選択して、ＳＴＳ−３ＭＵＸ１２に出力するが、ＳＴＳ−３ＯＨ挿入部１４は、図１３（ｃ）に示すように、Ｈ１，Ｈ２バイトオール“１”が検出されているために、該当Ｈ１，Ｈ２バイトオール“１”のパスＡＩＳを設定する。
【００１４】
このため、ＳＴＳ−３フレームの受信側では、Ｈ１，Ｈ２バイトオール“１”が設定されていることからパスＡＩＳが発生したものと判断するため、ペイロードは無視されるため、ＤＳ３ＰＬＣＰフレームは受信側に通知されない。
【００１５】
同様に、ＳＴＳ−１をドロップする場合にも、ＰＬＣＰフレームのフレーミングパターンをＳＴＳ−１のフレーミングパターンであると認識して、ＰＬＣＰフレームの該当Ｈ１，Ｈ２バイトがオール“１”が検出された場合に、ＰＬＣＰフレームは受信側に送信されずに、ＥＣ１フレームのＨ１，Ｈ２バイトにオール“１”が挿入されたＥＣ１フレームが受信側に送信されてしまう。
【００１６】
先行技術文献として、下記の特許文献１がある。
【００１７】
特許文献１は、ＰＨＤ信号を監視してその劣化を検出すると送信アラーム信号のパスオーバヘッド情報を作成して、この情報をＳＤＨ信号のパスオーバヘッドに挿入して、送信アラーム信号を受信側に通知することを開示している。
【特許文献１】特開平１０−２３０５３号公報
【発明の開示】
【発明が解決しようとする課題】
【００１８】
しかしながら、従来の伝送装置では以下の問題点があった。
【００１９】
上述したように、ＤＳ３ＰＬＣＰフレームを受信していたとき、ＥＣ１受信回路４がこのフレームをＥＣ１フレームと認識した場合に、ＤＳ３ＰＬＣＰフレームの該当Ｈ１，Ｈ２バイト位置のビット値がたまたまオール“１”であったとき、送信側でパスＡＩＳを挿入し、対応するペイロードに固定ビットパターンを挿入するため、ＤＳ３ＰＬＣＰフレームが受信側に届かないという問題点があった。また、引用文献１においても、この問題点を解決することはできない。
【００２０】
また、ＳＴＳ−１フレームをＥＣ１／ＤＳ３ＰＬＣＰフレーム等にドロップする場合でも、ＤＳ３ＰＬＣＰのフレーミングバイトによりＳＴＳ−１フレーム同期を取り、この同期に基づいて、Ｈ１，Ｈ２バイトオール“１”が検出された場合には、ＡＩＳがライン側に送出され、対応するペイロードに固定ビットパターンを挿入するため、ＰＬＣＰを送出できないという問題点があった。
【００２１】
本発明は上記を鑑みてなされたものであり、ＤＳ３ＰＬＣＰフレームである場合には、ＥＣ１フレームであると認識して、ＤＳ３ＰＬＣＰフレームの該当Ｈ１，Ｈ２バイト該当位置がオール“１”であっても、パスＡＩＳを通知せずに、ＤＳ３ＰＬＣＰフレームを受信側に送信することのできる伝送装置及び受信インタフェース装置を提供することである。
【課題を解決するための手段】
【００２２】
本発明の一側面によれば、伝送装置であって、第１形式フレームにおける第１フレーミングパターンに基づいて受信フレームの同期を検出する第１同期部と、第２形式フレームにおける第２フレーミングパターンに基づいて受信フレームの同期を検出する第２同期部と、前記第１及び第２同期部による同期検出に基づいて前記受信フレームを第３形式フレームにマッピングするマッピング部と、以前、前記第１同期部において同期を検出し、現在前記第１及び前記第２同期部において同期を検出した場合、前記第３形式フレームに設定されている障害情報を無効とするインヒビット部とを有することを特徴とする伝送装置が提供される。
【００２３】
本発明の他の側面によれば、伝送装置であって、受信ポートより受信された受信フレームが第１フレーミングパターンの第１形式フレームであるとして同期を検出する第１同期部と、前記第１同期部による同期検出に基づいて、第１形式フレームのオーバヘッドの第１所定領域に障害情報が設定されているか否かを検出して、当該障害情報の設定の有無を示す信号を出力する障害情報検出部と、前記受信ポートより受信された前記受信フレームが第２形式フレームであるとして同期を検出する第２同期部と、前記第２形式フレームに収容され、前記第１フレーミングパターンと同一の第２フレーミンングパターンである第３形式フレームとして同期を検出する第３同期部と、前記第１〜前記第３同期部による同期に基づいて、前記第１形式フレーム、前記第２形式フレーム及び前記第３形式フレームのいずれかに収容されているデータを第４形式同期フレームにマッピングするマッピング部と、前記第１〜前記第３同期部により同期が取れているとき、以前のフレームについて前記第２及び第３同期部により同期が取れていて前記第３形式フレームを受信していると判断される場合には、前記障害情報検出部からの出力信号を無効とするインヒビット部と、前記第４形式同期フレームを第５形式同期フレームに多重化する多重化部と、前記第５形式同期フレームのオーバヘッドを挿入するオーバヘッド挿入部とを具備し、前記オーバヘッド挿入部は前記インヒビット部により前記障害情報検出部の出力信号が無効とされた場合には、前記オーバヘッドの第２所定位置に障害情報を設定しないことを特徴とする伝送装置が提供される。
【００２４】
本発明の他の側面によれば、受信インタフェース装置であって、受信ポートより受信された受信フレームが第１フレーミングパターンの第１形式フレームであるとして同期を検出する第１同期部と、前記第１同期部により検出されたフレーム同期に基づいて、前記第１形式フレームのオーバヘッドの第１所定領域に障害情報が設定されているか否かを検出して、当該障害情報の設定の有無を示す信号を出力する障害情報検出部と、前記受信ポートより受信された前記受信フレームが第２形式フレームであるとして同期を検出する第２同期部と、前記第２形式フレームに収容され前記第１フレーミングパターンと同一の第２形式フレーミングパターンである第３形式フレームと同期を検出する第３同期部と、前記第１〜前記第３同期部による同期に基づいて、前記第１形式フレーム、前記第２形式フレーム及び前記第３形式フレームのいずれかに収容されているデータを第４形式同期フレームにマッピングする第１マッピング部と、前記第１〜前記第３同期部により同期が取れているとき、以前のフレームについて前記第２及び前記第３同期部により同期が取れていて前記第３形式フレームを受信していると判断される場合には、前記障害情報検出部からの出力信号を無効とするインヒビット部とを具備したことを特徴とする受信インタフェース装置が提供される。
【００２５】
本発明の更に他の側面によれば、伝送装置であって、同期ネットワークより受信した第１形式同期フレームを複数の第２形式同期フレームにデマックスする第１デマックス部と、前記第２形式同期フレームの第１フレーミングパターンと同期を取る第１同期部と、前記オーバヘッドに設定された障害情報を検出するとともにペイロードにデマッピングする第１デマッピング部と、前記ペイロードを第３形式同期フレームにマッピングする第１マッピング部と、前記ペイロードが第４形式フレームであるとして同期を取る第２同期部と、前記ペイロードが前記第４形式フレームに収容され前記第１フレーミングパターンと同一の第２フレーミングパターンの第５形式フレームを含むものであるとして前記第５形式フレームと同期を取る第３同期部と、前記ペイロードを前記第５形式フレームを収容する前記第４形式フレームにマッピングする第２マッピング部と、前記第２及び前記第３同期部により同期が取れている場合に、前記障害情報を無効にするインヒビット部とを具備したことを特徴とする伝送装置が提供される。
【発明の効果】
【００２６】
請求項１記載の発明によれば、障害情報が検出されていても、以前第１同期部において同期を検出し、現在第１及び第２同期部により同期を検出した場合、第３形式フレームに設定されている障害情報を無効とするので、第１同期部による第１形式フレームを受信中に誤って第２同期部により同期が取られても、第１形式フレームに収容されたデータを受信側に送信することができる。
【００２７】
請求項２〜４記載の発明によれば、第１〜第３同期部により同期が取れているとき、以前のフレームについて第２及び第３同期部により同期が取れていて第３形式フレームを受信していると判断される場合には、障害情報検出部からの出力信号を無効にするので、第３形式フレームに収容されたデータを受信側に送信することができる。
【００２８】
請求項５記載の発明によれば、第２及び前記第３同期部により同期が取れている場合には、障害情報を無効にするので、第５形式フレームに収容されたデータを受信側に送信することができる。
【発明を実施するための最良の形態】
【００２９】
本発明の実施形態の説明をする前に原理の説明をする。図１に示すように、伝送装置は、第１同期部５０、障害情報検出部５２、第２同期部５４、第３同期部５６、第１マッピング部５８、インヒビット部６０、多重化部６２及びオーバヘッド挿入部６４を具備する。
【００３０】
第１同期部５０は、一つの受信ポートより受信された受信フレームが第１フレーミングパターンの第１形式フレームであるとして同期を検出する。障害情報検出部５２は、第１同期部５０による同期検出に基づいて、第１形式フレームのオーバヘッドの第１所定領域に障害情報が設定されているか否かを検出して、当該障害情報の設定の有無を示す信号を出力する。
【００３１】
第２同期部５４は、受信ポートより受信された受信フレームが第２形式フレームであるとして同期を検出する。第３同期部５６は、第２形式フレームに収容され、第１フレーミングパターンと同一の第２フレーミンングパターンである第３形式フレームと同期を検出する。
【００３２】
マッピング部５８は、第１〜第３同期部５０，５４，５６による同期に基づいて、第１形式フレーム、第２形式フレーム及び第３形式フレームのいずれかに収容されているデータを第４形式同期フレームにマッピングする。インヒビット部６０は、第１同期部５０及び第３同期部５６により同期が取れているとき、以前のフレームについて第３同期部５６により同期が取れている場合には、障害情報検出部５２からの出力信号を無効とする。
【００３３】
多重化部６２は、第４形式同期フレームを第５形式同期フレームのペイロードに多重化する。オーバヘッド挿入部６４は、第５形式同期フレームのオーバヘッドを挿入し、インヒビット部６０により障害情報検出部５２の出力信号が無効とされた場合には、オーバヘッドの第２所定位置に障害情報を設定しない。
【００３４】
これにより、障害情報が検出されていても、第１同期部５０により同期が取れていて且つ第３同期部５６により同期が取れていて且つ以前に第３同期部５６により同期が取れている場合には、第１同期部５０が第３形式フレームのフレーミングパターンにより同期を誤検出したものと判断して、障害情報を無効にするので、第３形式フレームを第５形式フレームに収容して伝送することができる。
【００３５】
図２は本発明の実施形態のネットワーク構成図である。図２に示すように、ネットワークは、伝送装置１００＃１，１００＃２及び光ファイバ１０２により、ＳＯＮＥＴやＴＴＣ標準の新同期通信ネットワーク、例えば、ＳＴＳ−３ネットワークが構成されている。
【００３６】
伝送装置１００＃１，１００＃２は、各入力ポートについて、非同期網と同期網とのいずれかの網をサポートするＡＤＭ装置である。伝送装置１００＃１は、複数のネットワーク、例えば、４４．７３６ＭｂｐｓのＡＴＭ  ＰＬＣＰネットワーク１０４＃１、４４．７３６ＭｂｐｓのＤＳ３ネットワーク１０６＃１及び５１．８４ＭｂｐｓのＥＣ１ネットワーク１０８＃１を収容する。
【００３７】
伝送装置１００＃１は、ＡＴＭ  ＰＬＣＰフレーム、ＤＳ３フレーム及びＥＣ１フレームをＳＴＳ−３フレームに多重化して、ＳＯＮＥＴ（ＳＴＳ−３）１０２にアッドし、ＳＯＮＥＴ１０２よりＳＴＳ−３フレームを受信して、ＳＴＳ−３フレームをデマッピングして、ＰＬＣＰフレームをＰＬＣＰネットワーク１０４＃１に、ＤＳ３フレームをＤＳ３ネットワーク１０６＃１に、ＥＣ１フレームをＥＣ１ネットワーク１０８＃１にドロップする。
【００３８】
伝送装置１００＃２は、ＳＯＮＥＴ１０２よりＳＴＳ−３フレームを受信して、ＳＴＳ−３フレームをデマッピングして、ＰＬＣＰフレームをＡＴＭ装置１１０＃２に、ＤＳ３フレームをＤＳ３伝送装置１１２＃２に、ＥＣ１フレームをＥＣ１伝送装置１１３＃２にドロップする。
【００３９】
ＡＴＭ装置１１０＃１，１１０＃２は、伝送装置１００＃１，１００＃２よりＰＬＣＰフレームを受信すると、ＡＴＭセルに分解して収容する伝送路に送信し、伝送路よりＡＴＭセルを受信すると、ＰＬＣＰフレームにマッピングして、ＰＬＣＰネットワーク１０４＃１等に送信する。
【００４０】
ＤＳ３伝送装置１１２＃１，１１２＃２は、伝送装置１００＃１，１００＃２よりＤＳ３ダイレクトフレームを受信すると、データ、ＡＴＭセルにデマッピングして、収容する伝送路に送信し、伝送路よりデータやＡＴＭセルを受信すると、ＤＳ３ダイレクトフレームにマッピングして、ＤＳ３ネットワーク１０６＃１等に送信する。
【００４１】
ＥＣ１伝送装置１１３＃１，１１３＃２は、伝送装置１００＃１，１００＃２よりＥＣ１フレームを受信すると、ペイロードに分解して収容する伝送路に送信し、伝送路よりデータ（ＡＴＭセル、音声データ）を受信すると、ＥＣ１フレームにマッピングして、ＥＣ１ネットワーク１０８＃１等に送信する。
【００４２】
図３は図２中の伝送装置１００＃１のアッドに係わるブロック図である。図３に示すように、伝送装置１００＃１のアッドに係わるブロックは、共通部１１０、ＥＣ１受信回路１１２、ＤＳ３受信回路１１４、ＳＴＳ−１ＭＵＸ部１１６、ＤＳ３ＳＴＭＭＵＸ部１１８、ＤＳ３ダイレクトＡＴＭＭＵＸ部１２０、ＤＳ３ＰＬＣＰＡＴＭＭＵＸ部１２２、インヒビット部１２４、セレクタ１２６、ＳＴＳ−３ＭＵＸ１２８及びＳＴＳ−３オーバヘッド挿入部１３０から成る。
【００４３】
図４は図３中の共通部１１０、ＥＣ１受信回路１１２及びＤＳ３受信回路１１４の機能ブロック図である。共通部１１０は、ＬＯＳ検出部１５０、Ｂ３ＺＳＤＥＣ部１５２及びＢＰＶ部１５４を有する。ＬＯＳ検出部１５０は、ライン障害（ＬＯＳ  ＯＦ  ＳＩＧＮＡＬ）のアラームを検出する。Ｂ３ＺＳＤＥＣ部１５２は、入力Ｂ３ＺＳコードのデコードを行う。ＢＰＶ部１５４は、バイポーラバイオレーション符号則エラーの検出を行う。
【００４４】
ＥＣ１受信回路１１２は、Ｓ／Ｐ変換部１５６、ＥＣ１同期部１５８、ＯＯＦ検出部１６０、デスクランブル部１６２、Ｂ２チェック部１６４、Ｓ１ＬＯＳＭＥＳ部１６６、Ｚ２ＦＥＢＥ部１６８、Ｓ／ＬＯＨ挿入部１７０、ＲＤ１Ｌ検出部１７２、ＡＩＳＬ検出部１７４、ＰＴＲ検出部１７６、ＬＯＰ検出部１７８、ＡＩＳＰ検出部１８０、Ｈ１，Ｈ２オール“１”スルー部１８２、ＰＴＲ変更メモリ１８４及びＰＴＲ生成部１８６を有する。
【００４５】
図５はＥＣ１フレームフォーマットの構成図である。図５に示すように、ＥＣ１フレームは、セクションオーバヘッド、ラインオーバヘッド、パスオーバヘッド及びペイロードから成る。セクションオーバヘッドは、Ａ１，Ａ２バイト、Ｂ１バイト、Ｊ０バイト、Ｄ１〜Ｄ３バイト、Ｅ１バイト、Ｆ１バイト、Ｈ１〜Ｈ３バイトから構成される。ラインオーバヘッドは、Ｂ２バイト、Ｋ１，Ｋ２バイト、Ｄ４〜Ｄ１２バイト、Ｓ１，Ｚ２バイトから構成される。
【００４６】
パスオーバヘッドは、Ｊ１バイト、Ｂ３バイト、Ｃ２バイト、Ｇ１バイト、Ｆ２バイト、Ｈ４バイト、Ｚ３〜Ｚ５バイトから構成される。Ａ１，Ａ２バイトは、ＥＣ１フレーム同期を取るためのフレーミングバイトであり、コードが“Ｆ６２８”である。
【００４７】
Ｓ／Ｐ変換部１５６はシリアルフレームデータを８ビットパラレルデータに変換する。ＥＣ１同期部１５８は、ＥＣ１フレームの同期を取って、ＥＣ１フレームの先頭を示すフレームパルスをＥＣ１フレームとともに出力する。ＥＣ１フレームのフレーミングパターンと後述するＤＳ３ＰＬＣＰのフレーミングパターンが“Ｆ６２８”で同じであることから、ＤＳ３ＰＬＣＰフレームの場合でも、ＥＣ１フレーム同期を検出することがある。
【００４８】
ＯＯＦ検出部１６０は、フレーム同期はずれを検出する。デスクランブル部１６２はスクランブルされたＥＣ１フレームをデスクランブルする。Ｂ２チェック部１６４は、Ｂ２バイトのパリティをチェックする。
【００４９】
Ｓ１ロスメッセージ部１６６は、Ｓ１バイトの同期メッセージを検出する。Ｚ２チェック部１６８は、Ｚ２バイトより対向局のＢ２エラーを検出する。Ｓ／ＬＯＨドロップ部１７０は、セクション／ラインオーバヘッド（Ｂ２，Ｓ１，Ｚ２を除く）をドロップする。ＲＤＩＬ検出部１７２は、Ｋ２バイトよりＲＤＩ Ｌアラームを検出する。ＡＩＳＬ検出部１７４は、Ｋ２バイトのＡＩＳ Ｌアラームを検出する。
【００５０】
ＰＴＲ検出部１７６は、Ｈ１，Ｈ２バイトよりポインタ値を検出する。ＬＯＰ検出部１７８は、Ｈ１，Ｈ２バイトよりＬＯＰ（Ｌｏｓｓ  Ｏｆ  Ｐｏｉｎｔｅｒ）を検出する。ＡＩＳＰ検出部１８０は、Ｈ１，Ｈ２バイトからＡＩＳ Ｐアラームを検出する。
【００５１】
Ｈ１，Ｈ２バイトスルー部１８２は、ＥＣ１同期部１５８により生成されたＥＣ１フレームの先頭を示すフレームパルスに基づいて、Ｈ１，Ｈ２バイトがオール“１”を検出する。このとき、ＥＣ１同期部１５８で同期はずれが一時的に生じても、直前のフレームパルスに同期したタイミングでＨ１，Ｈ２バイトオール“１”が検出される。
【００５２】
ＰＴＲ変更メモリ１８４は受信側クロックから装置側クロックへフレームを乗せ替え用メモリである。ＰＴＲ生成部１８６は、ポインタのインクリメント／デクリメントのポインタアクションを挿入する。図３中のＳＴＳ−１ＭＵＸ部１１６は、ＳＴＳ−１フレームのセクションオーバヘッド、ラインオーバヘッド、パスオーバヘッド及びペイロードをＳＴＳ−１フレームにマッピングする。
【００５３】
ＤＳ３受信回路１１４は、ＤＳ３同期部１９０、ＯＯＦ検出部１９２、フレームエラー通知部１９４、パリティチェック部１９６、ＤＳ３ＡＩＳ／ＢＬＵＥ検出部１９８、ＩＤＬＥ検出部２００、ＲＡＩ検出部２０２、Ｃビットパリティチェック部２０４、ＦＥＡＣ部２０６、ＦＥＢＥ部２０８、パリティ部２１０、ＩＳＩＤメッセージ部２１２、ＤＳ３メモリ２１４、ＤＳ３ＡＩＳ挿入部２１６、ＤＳ３ＩＤＬＥ挿入部２１８、ＤＳ３ダイレクトマッピング部２２０、スタッフコントロール部２２２、ＤＳ３ＰＬＣＰ同期部２２４、ＯＯＦ部２２６、ＤＳ３ＰＬＣＬＰＯＨ部２２８、Ｃ１部２３０、Ｂ１部２３２、Ｇ１（ＦＥＢＥ）部２３４、Ｇ１（ＲＦ１）部２３６及びＤＳ３ＰＬＣＰデスタッフ部２３８を有する。
【００５４】
図６はＤＳ３フレームフォーマットを示す図である。図６に示すように、ＤＳ３フレームは、８５ビットのスロットが横に８個、縦に７個並び、マルチフレーム構成する。８５ビットのスロットの先頭１ビットがＸ１〜Ｘ２，Ｆ０，Ｆ１，Ｃ１１〜Ｃ７１，Ｃ１２〜Ｃ７２，Ｃ１３〜Ｃ７１，Ｐ，Ｍ０〜Ｍ１ビットであり、フレーム同期、パリティチェック、スタッフ制御などが行われる。
【００５５】
ＤＳ３同期部１９０は、ＤＳ３フレームのＦ０，Ｆ１，Ｍ０，Ｍ１ビットより同期検出する。ＯＯＦ検出部１９２は、ＤＳ３フレームの同期外れを検出する。フレームエラー通知部１９４は、フレームエラーをカウントしてモニタに表示する。パリティチェック部１９６はＰビットパリティチェックを行う。ＤＳ３ＡＩＳ／ＢＬＵＥ検出部１９８は、Ｘ１，Ｘ２ビットより、ＤＳ３ＡＩＳアラームを検出する。
【００５６】
ＩＤＬＥ検出部２００はＩＤＬＥシグナルを検出する。ＲＡＩ検出部２０２は、リモートアラームインジケータ（ＲＡＩ）アラームを検出する。Ｃビットパリティチェック部２０４は、Ｃビットパリティモード（ＳＴＭ）のとき、アラームとステータスのチェックをする。ＦＥＡＣ部２０６はＦＥＡＣ（Ｆａｒ  Ｅｎｄ  Ａｌａｒｍ  ａｎｄ  Ｃｏｎｔｒｏｌ  ｃｏｄｅ）を検出する。
【００５７】
ＦＥＢＥ部２０８はＦＥＢＥ（Ｃｂｉｔ  Ｆａｒ  Ｅｎｄ  Ｂｌｏｃｋ  Ｅｒｒｏｒ）を検出する。パリティチェック部２１０はＰビットパリティをチェックする。ＩＳＩＤメッセージ部２１２は、ＩＳＩＤメッセージ（Ｉｄｌｅ  ｓｉｇｎａｌ  ｉｄｅｎｔｉｆｉｃａｔｉｏｎ）を通知する。
【００５８】
ＤＳ３メモリ２１４は受信側クロックから装置側クロックへ乗せ替え用メモリである。ＤＳ３ＡＩＳ挿入部２１６は、ＤＳ３ＡＩＳを挿入する。ＤＳ３ＩＤＬＥ挿入部２１８はＤＳ３ＩＤＬＥを挿入する。
【００５９】
図３中のＤＳ３ＳＴＭＭＵＸ部１１８は、ＤＳ３フレームをＳＴＳ−１フレームにマッピングする。ＤＳ３ダイレクトマッピング部２２０は、ＤＳ３ＳＴＭをダイレクトマッピングする。スタッフコントロール部２２２はスタッフをコントロールする。ＤＳ３ダイレクトＡＴＭＭＵＸ部１２０は、ＡＴＭセル検出部１２１によりＡＴＭセルを検出し、ＡＴＭセルが検出された場合に、ＤＳ３フレームにマッピングされたＡＴＭセルを抽出して、ＡＴＭセルのＨＥＣチェック等を行ってから、ＤＳ３フレームに組み立て、ＳＴＳ−１フレームにマッピングする。
【００６０】
図７はＤＳ３ＰＬＣＰフレームフォーマットを示す図である。ＤＳ３ＰＬＣＰフレームは、ＤＳ３フレームの８４ビットのスロットを使って図７に示すように並べられて構成されたものであり、２バイトのＰＬＣＰフレーミングＡ１，Ａ２、１バイトのＰＯＩ、１バイトのＰＯＨ及び５３バイトのＰＬＣＰペイロードが縦に１２個並んでおり、フレームの最後にトレイラが付く構成である。ＰＬＣＰフレーミングバイトＡ１，Ａ２はＰＣＬＰフレーム同期を取るためのものであり、コードが“Ｆ６２８”であり、ＥＣ１フレームのＡ１，Ａ２バイトと同じコード値である。
【００６１】
図８は、ＰＯＩ及びＰＯＨを示す図である。１バイトのＰＯＩは該当するＰＯＩコードが割り当てられており、付随するＰＯＨが割り当てられる。
【００６２】
ＤＳ３ＰＬＣＰ同期部２２４はＤＳ３ＰＬＣＰフレームの同期を取る。ＯＯＦ部２２６はＰＬＣＰ同期外れを検出する。ＤＳ３ＰＬＣＰＰＯＨ部２２８は、ＰＬＣＰフレームのＰＯＨを抽出する。Ｃ１部２３０は、サイクル／スタッフカウンタを制御する。Ｂ１部２３２はＢ１パリティバイト検出する。
【００６３】
Ｇ１（ＦＥＢＥ）部２３４はＧ１ＦＥＢＥ（Ｇ１  Ｆａｒ  Ｅｎｄ  Ｂｌｏｃｋ  Ｅｒｒｏｒ）を検出する。Ｇ１（ＲＦ１）２３６はＧ１ＲＦＩ（Ｒｅｍｏｔｅ  Ｆａｉｌ  Ｉｎｄｉｃａｔｏｒ）を検出する。Ｃ１デスタッフ部２３８は、Ｃ１スタッフコントロールシグナルバイトを検出する。図３中のＤＳ３ＰＬＣＰＡＴＭＭＵＸ部１２２は、ＡＴＭセルのＨＥＣチェックを行ってから、ＡＴＭセルをＤＳ３ＰＬＣＰフレームに組み立て、ＳＴＳ−１フレームにマッピングする。
【００６４】
図９は図３中のインヒビット部１２４に係わるブロック図である。図９に示すように、インヒビット部１２４は、ＤＳ３ＰＬＣＰ同期検出部２５０、ＮＯＴ回路２５１、Ｈ１，Ｈ２インヒビット制御部２５２、ＤＳ３ダイレクト同期検出部２５３及びＨ１，Ｈ２オール“１”挿入部２５４を有する。
【００６５】
ＤＳ３ＰＬＣＰ同期検出部２５０は、ＤＳ３同期部１９０及びＤＳ３ＰＬＣＰ同期部２２４の出力より、ＤＳ３同期が取れていて且つＰＬＣＰ同期が取れている状態（ＤＳ３ＰＬＣＰ同期）であるか否かを検出して、ＤＳ３ＰＬＣＰ同期が取れているか否かを示す信号を出力する。
【００６６】
ＮＯＴ回路２５１は、ＰＬＣＰ同期部２２４の出力を反転する。ＤＳ３ダイレクト同期検出部２５３は、ＤＳ３同期が検出されていること、ＰＬＣＰ同期が検出されていないこと、ＡＴＭセルが検出されたとき、ＤＳ３ダイレクトＡＴＭを指示する信号を出力する。
【００６７】
図１０はＨ１，Ｈ２インヒビット制御部２５２の動作を示す真理値を示す図である。図１０（ａ）は前フレームＤＳ３ＰＬＣＰ受信時の場合を示す図である。図１０（ｂ）は前フレームＥＣ１受信時の場合を示す図である。
【００６８】
前フレームＤＳ３ＰＬＣＰ受信とは、前フレームについて、（１）ＤＳ３ＰＬＣＰ同期が取れていて且つＥＣ１同期が取れていないこと、（２）ＤＳ３ＰＬＣＰ同期が取れていて且つＥＣ１同期が取れていて且つ前状態がＤＳ３ＰＬＣＰ同期が取れている場合（前状態優先）である。尚、ＤＳ３ＰＬＣＰ同期が取れているとは、ＤＳ３同期及びＰＬＣＰ同期が取れていることをいう。
【００６９】
また、前フレームＥＣ１受信とは、前フレームについて、（１）ＥＣ１同期が取れていて且つＤＳ３ＰＬＣＰ同期が取れていないこと、（２）ＥＣ１同期が取れていて且つＤＳ３ＰＬＣＰの同期が取れていて且つ前状態がＥＣ１同期が取れている（前状態保持）場合である。尚、電源投入時はＥＣ１同期及びＤＳ３ＰＬＣＰ同期のいずれか一方、例えば、ＤＳ３ＰＬＣＰ同期が取れているものとする。
【００７０】
（ａ）  前フレームＤＳ３ＰＬＣＰ受信時、図１０（ａ）に示すように以下の通り
（ｉ）  ＤＳ３ＰＬＣＰ同期検出且つＥＣ１同期検出の場合、Ｈ１，Ｈ２オール“１”スルーインヒビット有効（前状態優先）。
【００７１】
（ｉｉ）  ＤＳ３ＰＬＣＰ同期検出且つＥＣ１同期外れの場合、Ｈ１，Ｈ２オール“１”スルーインヒビット有効。
【００７２】
（ｉｉｉ）  ＤＳ３ＰＬＣＰ同期外れ且つＥＣ１同期検出の場合、Ｈ１，Ｈ２オール“１”スルーインヒビット無効。
【００７３】
（ｉｖ）  ＤＳ３ＰＬＣＰ同期外れ且つＥＣ１同期外れの場合、Ｈ１，Ｈ２オール“１”スルーインヒビット有効（前状態保持）。
【００７４】
（ｂ）  前フレームＥＣ１受信時、図１０（ｂ）に示すように以下の通り
（ｉ）  ＤＳ３ＰＬＣＰ同期検出且つＥＣ１同期検出の場合、Ｈ１，Ｈ２オール“１”スルーインヒビット無効（前状態優先）。
【００７５】
（ｉｉ）  ＤＳ３ＰＬＣＰ同期検出且つＥＣ１同期外れの場合、Ｈ１，Ｈ２オール“１”スルーインヒビット有効。
【００７６】
（ｉｉｉ）  ＤＳ３ＰＬＣＰ同期外れ且つＥＣ１同期検出の場合、Ｈ１，Ｈ２オール“１”スルーインヒビット無効。
【００７７】
（ｉｖ）  ＤＳ３ＰＬＣＰ同期外れ且つＥＣ１同期外れの場合、Ｈ１，Ｈ２オール“１”スルーインヒビット無効（前状態保持）。
【００７８】
Ｈ１，Ｈ２オール“１”挿入部２５４は、（ａ）Ｈ１，Ｈ２インヒビット制御部２５２からインヒビット有効が指示されたとき、ＰＴＲ生成部１８６及びＨ１，Ｈ２オール“１”スルー部１８２の出力を無視し、ＤＳ３信号をＳＴＳ−１信号にマッピングする為の所定の値を出力し、（ｂ）Ｈ１，Ｈ２インヒビット制御部２５２からインヒビット無効が指示されているとき、Ｈ１，Ｈ２オール“１”スルー部１８２がオール”１“検出している場合、Ｈ１，Ｈ２バイトオール“１”を出力し、Ｈ１，Ｈ２オール“１”スルー１８２がオール“１”を検出していない場合、ＰＴＲ生成部１８６のポインタ値をスルーする。
【００７９】
セレクタ１２６は、ＳＴＳ−１ＭＵＸ部１１６、ＤＳ３ＳＴＭＭＵＸ部１１８、ＤＳ３ダイレクトＡＴＭＭＵＸ部１２０、ＤＳ３ＰＬＣＰＡＴＭＭＵＸ部１２２より出力される４本のＳＴＳ−１の中から、（ａ）ＥＣ１同期検出部１５８がＥＣ１同期を検出しているとき、ＥＣ１ＭＵＸ部１１６の出力、（ｂ）ＤＳ３ＰＬＣＰ同期検出部２５０がＤＳ３ＰＬＣＰ同期を検出しているとき、ＤＳ３ＰＬＣＰＡＴＭＭＵＸ部１２２の出力、（ｃ）ＤＳ３同期検出部１９０がＤＳ３同期を検出し、ＤＳ３フレームがＳＴＭの場合、ＤＳ３ＳＴＭＭＵＸ部１１８の出力、（ｄ）ＤＳ３ダイレクト同期検出部２５３がＤＳ３がダイレクトＡＴＭを検出している場合、ＤＳ３ダイレクトＡＴＭＭＵＸ部１２０の出力を選択する。ＳＴＳ−３ＭＵＸ１２８は、ＳＴＳ−１×３をＳＴＳ−３フレームのペイロードにマッピングする。
【００８０】
図１１はＳＴＳ−３フレームフォーマットを示す図である。図１１に示すように、ＳＴＳ−３フレームは、セクションオーバヘッド、ラインオーバヘッド、パスオーバヘッド及びペイロードから成る。セクションオーバヘッドは、Ａ１×３，Ａ２×３バイト、Ｂ１バイト、Ｄ１〜Ｄ３バイト、Ｅ１バイト、Ｆ１バイト、Ｈ１×３，Ｈ２×３，Ｈ３×３バイト、Ｊ０バイト、Ｚ０×２バイトから構成される。ラインオーバヘッドは、Ｂ２×３バイト、Ｄ４〜Ｄ１２バイト、Ｋ１，Ｋ２バイト、Ｓ１バイト、Ｚ１×２，Ｚ２×２バイト、Ｍ１バイト、Ｅ２バイトから構成される。パスオーバヘッドは、Ｊ１バイト、Ｂ３バイト、Ｃ２バイト、Ｇ１バイト、Ｆ２バイト、Ｈ４バイト、Ｚ３〜Ｚ５バイトから構成される。
【００８１】
ＳＴＳ−３オーバヘッド生成部１３０は、Ｈ１，Ｈ２，Ｈ３生成部２８０、Ａ１，Ａ２バイト生成部２８２、ＳＴＳ  Ｓ／ＬＯＨ挿入部２８４、ＳＣＲ部２８６及びＢ１算出部２８８を有する。Ｈ１，Ｈ２，Ｈ３生成部２８０は、（ａ）Ｈ１，Ｈ２オール“１”挿入部２５４よりＨ１，Ｈ２オール“１”が出力されている場合、Ｈ１×３，Ｈ２×３の該当Ｈ１，Ｈ２バイトにオール“１”を出力し、（ｂ）Ｈ１，Ｈ２オール“１”挿入部２５４よりＨ１，Ｈ２オール“１”が出力されていない場合、Ｈ１×３，Ｈ２×３の該当バイトにはポインタ値を出力する。
【００８２】
Ａ１，Ａ２バイト生成部２８２は、Ａ１，Ａ２バイトを生成する。Ｂ１部２８８は、Ｂ１バイトを算出する。ＳＣＲ部２８０はフレームのデータのスクランブルをする。ＳＴＳ  Ｓ／Ｌオーバヘッド挿入部２８４は、Ｈ１，Ｈ２，Ｈ３バイト生成部２８０、Ａ１，Ａ２バイト生成部２８２及びＢ１部２８８の出力に基づいて、ＳＴＳ−３フレームのセクション／ラインオーバヘッドを生成する。
【００８３】
以下、図２中の伝送装置１００＃１の本発明に係わる動作説明をする。
【００８４】
（１）  ＤＳ３ＰＬＣＰ受信している場合
伝送装置１００＃１はＤＳ３ネットワーク１０４＃１よりＤＳ３ＰＬＣＰフレームを受信した場合には、ＤＳ３受信回路１１４は、ＤＳ３フレーム同期を検出し、更にＰＬＣＰフレーム同期を検出する。ＥＣ１受信回路１１２は、ＥＣ１フレーム同期を検出する。このとき、ＥＣ１フレームのフレーミングパターンとＰＬＣＰのフレーミングパターンは同一であることから、ＤＳ３ＰＬＣＰフレームをＥＣ１フレームと認識して、ＥＣ１フレームの同期が一時的に確立されることがある。
【００８５】
インヒビット部１２４は、直前及び現在のＤＳ３ＰＬＣＰフレームのＤＳ３同期及びＰＬＣＰ同期が取れていることから、インヒビット有効にし、Ｈ１，Ｈ２バイトオール“１”が検出されていても、これを無効にする。セレクタ１２６は、ＤＳ３同期及びＰＬＣＰ同期が取れていることからＤＳ３ＰＬＣＰＡＴＭがＳＴＳ−１フレームにマッピングされたＳＴＳ−１フレームを選択する。
【００８６】
ＳＴＳ−３オーバヘッド挿入部１３０は、インヒビット部１２４よりインヒビット有効が指示されたことから、Ｈ１，Ｈ２バイト及び他のオーバヘッドを生成して、ＳＴＳ−３オーバヘッドをＳＴＳ−３フレームに挿入する。ＤＳ３ＰＬＣＰフレームがペイロードにマッピングされ、Ｈ１，Ｈ２バイトがオール“１”ではないオーバヘッドを含むＳＴＳ−３フレームが伝送される。
【００８７】
受信側の伝送装置１００＃２はＳＴＳ−３のＨ１，Ｈ２バイトがオール“１”ではないことからＳＴＳ−１、ＤＳ３ＰＬＣＰ、ＡＴＭセルに順次デマッピングして、ＡＴＭセルをＡＴＭ装置１１０＃２にドロップする。このように、ＤＳ３ＰＬＣＰ信号を受信中にＥＣ１受信回路１１２がＥＣ１フレームであると認識して、Ｈ１，Ｈ２バイトオール“１”が検出された場合でも、Ｈ１，Ｈ２バイトオール“１”がインヒビットされて、ＤＳ３ＰＬＣＰを受信側に伝送することができる。
【００８８】
（２）  直前までＥＣ１フレーム受信中でＤＳ３フレーム受信の場合
ＥＣ１フレームを受信中であるとき、ＥＣ１受信回路１１２は、ＥＣ１フレーム同期検出を行い、ＥＣ１フレーム同期に従って、Ｈ１，Ｈ２バイトを検出する。インヒビット部１２４は、直前及び現在のＥＣ１フレーム同期が取れているので、インヒビット無効にする。
【００８９】
検出したＨ１，Ｈ２バイトがオール“１”であれば、Ｈ１，Ｈ２バイトオール“１”を生成する。セレクタ１２６は、ＥＣ１フレームがＳＴＳ−１フレームにマッピングされてＳＴＳ−１フレームを選択する。ＳＴＳ−３ＭＵＸ部１２８はＳＴＳ１×３をＳＴＳ−３のペイロードにマッピングする。
【００９０】
ＳＴＳ−３オーバヘッド挿入部１３０は、インヒビット部１２４よりインヒビット無効が指示されたことから、Ｈ１，Ｈ２バイトオール“１”が検出されている場合には、Ｈ１，Ｈ２バイトオール“１”を挿入し、他のオーバヘッドを生成して、ＳＴＳ−３オーバヘッドをＳＴＳ−３フレームに挿入する。
【００９１】
伝送装置１００＃１は、それまでＥＣ１フレームを受信していたが、切り換えなどによりＥＣ１ネットワーク１０８＃１よりＤＳ３ＰＬＣＰフレームを受信したとする。ＥＣ１受信回路１１２は、ＥＣ１フレーム同期を取るが、ＤＳ３フレームが受信されたために同期はずれとなり、ＥＣ１同期はずれを出力するとともに、直前の同期が取れていたタイミングに従ったフレームの先頭よりＨ１，Ｈ２バイトオール“１”を検出する。
【００９２】
一方、ＤＳ３受信回路１１４は、ＤＳ３フレーム同期を検出し、更にＰＬＣＰフレームの時はＰＬＣＰ同期を検出する。インヒビット部１２４は、ＥＣ１同期が取れていないこと、ＤＳ３同期及びＤＳ３ＰＬＣＰ同期が取られているために、インヒビット有効にして、Ｈ１，Ｈ２バイトオール“１”が検出されていても、これを無効にする。
【００９３】
セレクタ１２６は、ＤＳ３フレーム（ＤＳ３ＳＴＭ，ＤＳ３ダイレクトＡＴＭ，ＤＳ３ＰＬＣＰＡＴＭのいずれか）がＳＴＳ−１フレームにマッピングされたＳＴＳ−１フレームを選択する。
【００９４】
ＳＴＳ−３ＭＵＸ部１２８はＳＴＳ１×３をＳＴＳ−３のペイロードにマッピングする。ＳＴＳ−３オーバヘッド挿入部１３０はＳＴＳ−３のＨ１，Ｈ２，Ｈ３バイトを生成するとともに、ＳＴＳ−３オーバヘッドをＳＴＳ−３フレームに挿入する。
【００９５】
これにより、ＤＳ３ＰＬＣＰフレーム中のデータにおいて、ＥＣ１フレームのＨ１，Ｈ２バイト相当位置の内容がオール“１”であっても、Ｈ１，Ｈ２バイトオール“１”検出が無効にされて、ＤＳ３フレームがマッピングされたＳＴＳ−３フレームが送信されることとなる。
【００９６】
図１２は図２中の伝送装置１００＃１のドロップに係わるブロック図である。図１２に示すように、ＳＴＳ−３デマックス部３００、ＳＴＳ−１デマッピング部３０２、インヒビット部３０４、ＥＣ１マッピング部３０６、ＤＳ３同期部３０８、ＰＬＣＰ同期部３１０、ＤＳ３ＳＴＭマッピング部３１２、ＤＳ３ダイレクトＡＴＭマッピング部３１４、ＤＳ３ＰＬＣＰＡＴＭマッピング部３１６及びセレクタ３１８を有する。
【００９７】
ＳＴＳ−３デマックス部３００は、ＳＴＳ−３フレームを３本のＳＴＳ−１フレームにデマックスする。ＳＴＳ−１デマッピング部３０２は、ＳＴＳ−１フレームの同期を検出して、Ｈ１，Ｈ２バイトオール“１”検出等のオーバヘッドのチェック、ペイロードの抽出を行い、ＳＴＳ−１同期部３３０及びＨ１，Ｈ２バイトオール“１”スルー部３３２を有する。
【００９８】
ＳＴＳ−１同期部３３０は、ＳＴＳ−１フレームのフレーミングバイトより同期を検出する。このとき、ＳＴＳ−１フレームのフレーミングバイトとＰＬＣＰフレームのフレーミングバイトとは同一であることから、ＳＴＳ−１同期部３３０は、ＳＴＳ−１でなくＰＬＣＰのフレーミングバイトにより同期を検出することがある。Ｈ１，Ｈ２バイトオール“１”スルー部３３２は、ＳＴＳ−１同期部３３０による同期に基づいて、Ｈ１，Ｈ２バイトオール“１”を検出する。
【００９９】
インヒビット部３０４は、ＳＴＳ−１同期部３３０、ＤＳ３同期部３０８、ＰＬＣＰ同期部３１０及びＤＳ３ダイレクトＡＴＭマッピング３１４の出力に基づいて、図１０の真理値を示す図と同様にして、Ｈ１，Ｈ２バイトオール“１”のインビット有効・無効を制御する。ここで、ＳＴＳ−１同期がＥＣ１同期に対応する。
【０１００】
また、（ａ）ＤＳ３同期検出且つＰＬＣＰ同期が検出されている場合、（ｂ）ＤＳ３同期検出且つＰＬＣＰ同期が検出されず且つＡＴＭセルが検出されている場合、（ｃ）ＤＳ３同期検出且つＰＬＣＰ同期が検出されず且つＡＴＭセルが検出されていない場合、（ｄ）その他の場合に、それぞれ、ＤＳ３ＰＬＣＰＡＴＭマッピング部３１６、ＤＳ３ダイレクトＡＴＭマッビング部３１４、ＤＳ３ＳＴＭマッピング部３１２、ＥＣ１マッピング部３０６の出力を選択するようセレクタ３１８に指示する。
【０１０１】
ＥＣ１マッピング部３０６は、ペイロードをＥＣ１フレームにマッピングする。ＤＳ３同期部３０８はＤＳ３フレームの同期を検出する。ＰＬＣＰ同期部３１０はＰＬＣＰフレームの同期を検出する。ＤＳ３ＳＴＭマッピング部３１２はＤＳ３フレームからＳＴＭデータを抽出してから、ＤＳ３フレームにマッピングする。
【０１０２】
ＤＳ３ダイレクトＡＴＭマッピング部３１４は、ＤＳ３フレームにＡＴＭセルがマッピングされているかを検出して、ＡＴＭセル検出信号をインヒビット部３０４に出力するとともに、ＡＴＭセルをＤＳ３フレームにマッピングする。ＤＳ３ＰＬＣＰＡＴＭマッピング部３１６はＡＴＭセルをＰＬＣＰフレームにマッピングする。セレクタ３１８はインヒビット部３０４の指示に従って、選択する。
【０１０３】
このようにインビット部３０４によりＨ１，Ｈ２バイトオール“１“のスルーのインヒビットを制御するので、ＰＬＣＰフレームをＳＴＳ−１と認識した場合でも、Ｈ１，Ｈ２バイトオール”１“をインビットするので、ＰＬＣＰフレームをドロップすることができる。
（付記１）
伝送装置であって、
第１形式フレームにおける第１フレーミングパターンに基づいて受信フレームの同期を検出する第１同期部と、
第２形式フレームにおける第２フレーミングパターンに基づいて受信フレームの同期を検出する第２同期部と、
前記第１及び第２同期部による同期検出に基づいて受信フレームを第３形式フレームにマッピングするマッピング部と、
以前、前記第１同期部において同期を検出し、現在前記第１及び前記第２同期部において同期を検出した場合、前記第３形式フレームに設定されている障害情報を無効とするインヒビット部とを有することを特徴とする伝送装置。
（付記２）
第１形式フレームにおける第１フレーミングパターンに基づいて受信フレームの同期を検出する第１同期部と、
前記第１同期部による同期検出に基づいて、前記第１形式フレームにおけるオーバヘッドの第１所定領域に障害情報が設定されているか否かを検出して、当該障害情報の設定の有無を示す信号を出力する障害情報検出部と、
第２形式フレームにおける第２フレーミングパターンに基づいて受信フレームの同期を検出する第２同期部と、
前記第１及び前記第２同期部による同期検出に基づいて、前記受信フレームを第３形式フレームにマッピングするマッピング部と、
以前の受信フレームの前記第１及び前記第２同期部における同期検出状態と、今回の受信フレームの前記第１及び前記第２同期部における同期検出状態とに応じて、前記障害情報検出部からの出力信号を無効とするインヒビット部と、
前記第３形式フレームを第４形式フレームに多重化する多重化部と、
前記第４形式フレームのオーバヘッドを挿入するオーバヘッド挿入部とを具備し、
前記オーバヘッド挿入部は前記インヒビット部により前記障害情報検出部の出力信号が無効とされた場合には、前記オーバヘッドの第２所定位置に障害情報を設定しないことを特徴とする伝送装置。
（付記３）
伝送装置であって、
受信ポートより受信された受信フレームが第１フレーミングパターンの第１形式フレームであるとして同期を検出する第１同期部と、
前記第１同期部による同期検出に基づいて、第１形式フレームのオーバヘッドの第１所定領域に障害情報が設定されているか否かを検出して、当該障害情報の設定の有無を示す信号を出力する障害情報検出部と、
前記受信ポートより受信された前記受信フレームが第２形式フレームであるとして同期を検出する第２同期部と、
前記第２形式フレームに収容され、前記第１フレーミングパターンと同一の第２フレーミンングパターンである第３形式フレームとして同期を検出する第３同期部と、
前記第１〜前記第３同期部による同期に基づいて、前記第１形式フレーム、前記第２形式フレーム及び前記第３形式フレームのいずれかに収容されているデータを第４形式同期フレームにマッピングするマッピング部と、
前記第１〜前記第３同期部により同期が取れているとき、以前のフレームについて前記第２及び第３同期部により同期が取れていて前記第３形式フレームを受信していると判断される場合には、前記障害情報検出部からの出力信号を無効とするインヒビット部と、
前記第４形式同期フレームを第５形式同期フレームに多重化する多重化部と、
前記第５形式同期フレームのオーバヘッドを挿入するオーバヘッド挿入部とを具備し、
前記オーバヘッド挿入部は前記インヒビット部により前記障害情報検出部の出力信号が無効とされた場合には、前記オーバヘッドの第２所定位置に障害情報を設定しないことを特徴とする伝送装置。
（付記４）
前記インヒビット部は、前記第１同期部で同期が取れず且つ前記第２及び前記第３同期部により同期が取れているとき、前記障害情報検出部の出力信号を無効とすることを特徴とする付記３記載の伝送装置。
（付記５）
前記インヒビット部は、前記第１同期部で同期が取れており且つ前記第２又は前記第３同期部により同期が取れていないとき、前記障害情報検出部からの出力信号を有効とすることを特徴とする付記３記載の伝送装置。
（付記６）
前記第１〜前記第３同期部により同期が取れているとき、以前のフレームについて前記第１〜前記第３同期部により同期が取れていて前記第１フレームを受信していると判断される場合には、前記障害情報検出部からの出力信号を有効とすることを特徴とする付記３記載の伝送装置。
（付記７）
前記第１形式フレームはＥＣ１フレーム、前記第２形式フレームはＤＳ３フレーム、前記第３形式フレームはＰＬＣＰフレームであることを特徴とする付記３記載の伝送装置。
（付記８）
受信インタフェース装置であって、
受信ポートより受信された受信フレームが第１フレーミングパターンの第１形式フレームであるとして同期を検出する第１同期部と、
前記第１同期部により検出されたフレーム同期に基づいて、前記第１形式フレームのオーバヘッドの第１所定領域に障害情報が設定されているか否かを検出して、当該障害情報の設定の有無を示す信号を出力する障害情報検出部と、
前記受信ポートより受信された前記受信フレームが第２形式フレームであるとして同期を検出する第２同期部と、
前記第２形式フレームに収容され前記第１フレーミングパターンと同一の第２形式フレーミングパターンである第３形式フレームと同期を検出する第３同期部と、
前記第１〜前記第３同期部による同期に基づいて、前記第１形式フレーム、前記第２形式フレーム及び前記第３形式フレームのいずれかに収容されているデータを第４形式同期フレームにマッピングする第１マッピング部と、
前記第１〜前記第３同期部により同期が取れているとき、以前のフレームについて前記第２及び前記第３同期部により同期が取れていて前記第３形式フレームを受信していると判断される場合には、前記障害情報検出部からの出力信号を無効とするインヒビット部と、
を具備したことを特徴とする受信インタフェース装置。
（付記９）
伝送装置であって、
同期ネットワークより受信した第１形式同期フレームを複数の第２形式同期フレームにデマックスする第１デマックス部と、
前記第２形式同期フレームの第１フレーミングパターンと同期を取る第１同期部と、
前記オーバヘッドに設定された障害情報を検出するとともにペイロードにデマッピングする第１デマッピング部と、
前記ペイロードを第３形式同期フレームにマッピングする第１マッピング部と、
前記ペイロードが第４形式フレームであるとして同期を取る第２同期部と、
前記ペイロードが前記第４形式フレームに収容され前記第１フレーミングパターンと同一の第２フレーミングパターンの第５形式フレームを含むものであるとして前記第５形式フレームと同期を取る第３同期部と、
前記ペイロードを前記第５形式フレームを収容する前記第４形式フレームにマッピングする第２マッピング部と、
前記第２及び前記第３同期部により同期が取れている場合に、前記障害情報を無効にするインヒビット部と、
を具備したことを特徴とする伝送装置。
【図面の簡単な説明】
【０１０４】
【図１】本発明の原理図である。
【図２】本発明の実施形態のネットワーク構成図である。
【図３】図２中の伝送装置のアッドに係わるブロック図である。
【図４】図３中の受信回路のブロック図である。
【図５】ＥＣ１フレームフォーマットを示す図である。
【図６】ＤＳ３フレームフォーマットを示す図である。
【図７】ＰＬＣＰフレームフォーマットを示す図である。
【図８】ＰＯＩ及びＰＯＨを示す図である。
【図９】インヒビットに係わるブロック図である。
【図１０】Ｈ１，Ｈ２インヒビット制御部の動作を示す真理値の図である。
【図１１】ＳＴＳ−３フレームフォーマットを示す図である。
【図１２】図２中の伝送装置のドロップに係わるブロック図である。
【図１３】従来の問題点を示す図である。
【符号の説明】
【０１０５】
５０  第１同期部
５２  障害情報検出部
５４  第２同期部
５６  第３同期部
５８  マッピング部
６０  インヒビット部
６２  多重化部
６４  オーバヘッド挿入部
【図１】
2005286461.tif 000003
【図２】
2005286461.tif 000004
【図３】
2005286461.tif 000005
【図４】
2005286461.tif 000006
【図５】
2005286461.tif 000007
【図６】
2005286461.tif 000008
【図７】
2005286461.tif 000009
【図８】
2005286461.tif 000010
【図９】
2005286461.tif 000011
【図１０】
2005286461.tif 000012
【図１１】
2005286461.tif 000013
【図１２】
2005286461.tif 000014
【図１３】
2005286461.tif 000015